(57)【要約】【課題】日常生活の中で股関節のストレッチ動作を簡単に実施することができる、実用性の高い座椅子を提供する。【解決手段】使用者が着座する座面６，７を有するベース部２，３と、ベース部２，３の端面２０から突出し、開放角度を変更可能な１組の開脚パッド４と、開脚パッド４の開放角度を固定するための角度決定部とを備える。上記座面６，７の奥行きｅは８７９．７ｍｍ以上２０１９ｍｍ以下である。上記座面６，７の幅ｆは３１７．３ｍｍ以上９３０．８ｍｍ以下である。【選択図】図９
2014171724.tif 000002
【特許請求の範囲】
【請求項１】
使用者が着座する座面を有するベース部と、
前記ベース部の端面から突出し、開放角度を変更可能な１組の開脚パッドと、
前記開脚パッドの開放角度を固定するための角度決定部とを備え、
前記座面の奥行きは８７９．７ｍｍ以上２０１９ｍｍ以下であり、
前記座面の幅は３１７．３ｍｍ以上９３０．８ｍｍ以下である、座椅子。
【請求項２】
前記ベース部は、使用者が着座する座面としての第１の面を有する第１のベース部と、使用者が背中を当接する背面としての第２の面を有し前記第１のベース部に接続された第２のベース部とを含み、
前記第１および第２のベース部の接続部に配置され、前記第１の面と前記第２の面とのなす角度を調整する角度調整部をさらに備え、
前記角度調整部は、前記角度が鋭角となるように調整可能である、請求項１に記載の座椅子。
【請求項３】
前記角度調整部を用いて前記角度を調節することにより、前記第１の面と前記第２の面とを合わせて使用者が着座する単一の座面として使用可能である、請求項２に記載の座椅子。
【請求項４】
１組の前記開脚パッドは、前記第１のベース部の内部に収納可能である、請求項２または３に記載の座椅子。
【請求項５】
前記第１の面の前方側における前記第１のベース部の厚みは、前記第１の面の後方側における前記第１のベース部の厚みよりも厚い、請求項２〜４のいずれか１項に記載の座椅子。
【請求項６】
前記第１の面の前方側の幅は、前記第１の面の後方側の幅よりも広い、請求項２〜４のいずれか１項に記載の座椅子。
【請求項７】
前記前方側における前記第１のベース部の厚みは、前記後方側における前記第１のベース部の厚みよりも厚い、請求項６に記載の座椅子。
【請求項８】
前記第１の面上の接合部にて接合されるクッション部を有し、
前記クッション部は三角柱形状であり、
前記クッション部は、前記接合部を中心に前記第１の面の奥行き方向において回転可能である、請求項２〜７のいずれか１項に記載の座椅子。
【発明の詳細な説明】
【技術分野】
【０００１】
この発明は座椅子に関し、より特定的には、通常の着座用とストレッチ運動用との双方の用途を有する座椅子に関する。
【背景技術】
【０００２】
従来、特に高齢者の健康維持のために、股関節の柔軟性を向上するためのストレッチ用具がたとえば特開２００５−２１１３２７号公報（特許文献１）および特表平９−５０５７４３号公報（特許文献２）に開示されている。
【０００３】
特許文献１では、１対の膝の間に１対の開脚レバーを挟むように着座し、開脚レバーが開こうとする力に抗して膝を閉じることにより、容易に股関節をストレッチ運動できる股関節ストレッチ用具が開示されている。また特許文献２では、脚ストレッチ用構成部分と腕および背ストレッチ構成部分とにより、股関節と背中および腕の筋肉との双方を鍛えることができるストレッチ療法器械が開示されている。
【先行技術文献】
【特許文献】
【０００４】
【特許文献１】特開２００５−２１１３２７号公報
【特許文献２】特表平９−５０５７４３号公報
【発明の概要】
【発明が解決しようとする課題】
【０００５】
しかし、上記の特許文献１や特許文献２に開示される器具はいずれもストレッチ運動専用の器具であり、これらの器具を日常生活のためのリビングルームなどに設置することは通常充分なスペースが確保できないなどの理由により難しい。このため日常生活においてこれらの器具を高い頻度で使用することは困難である。
【０００６】
また上記の特許文献１や特許文献２に開示される器具はいずれも脚の開閉を繰り返す運動を行なうことを前提とした構成となっている。このためこれらの器具を用いて行なう運動は使用者に対する負荷が高く、長期間にわたって継続することが苦痛となる場合がある。
【０００７】
本発明は上記のような課題を解決するためになされたものであり、この発明の目的は、日常生活の中で股関節のストレッチ動作を簡単に実施することができる、実用性の高い座椅子を提供することである。
【課題を解決するための手段】
【０００８】
本発明に係る座椅子は、使用者が着座する座面を有するベース部と、ベース部の端面から突出し、開放角度を変更可能な１組の開脚パッドと、開脚パッドの開放角度を固定するための角度決定部とを備える。上記ベース部の奥行きは８７９．７ｍｍ以上２０１９ｍｍ以下である。上記ベース部の幅は３１７．３ｍｍ以上９３０．８ｍｍ以下である。
【発明の効果】
【０００９】
上記座椅子は、角度決定部により開放角度を変更可能な１組の開脚パッドにより、好みの開放角度に広げた大腿部を開脚パッドに当接させたまま、日常生活の中で容易に股関節のストレッチ運動ができる。またベース部の奥行きの長さおよび幅を所望の数値範囲とすれば、座ったまま使用者が座る位置を変えるだけで開放角度を変えることができるので、股関節に加わる負荷を調整できる。
【図面の簡単な説明】
【００１０】
【図１】背もたれ部が着座部に対してほぼ直角となるようにセットされた、本発明による座椅子の概略側方図である。
【図２】図１と同様であり、開脚パッドが収納された状態の、本発明による座椅子の概略上面図である。
【図３】図２と同様であるが開脚パッドが収納部の外に突出している、本発明による座椅子の概略上面図である。
【図４】図３と同様であるが図３の開脚パッドのパッド部が座面に対して垂直となるように立ち上げられた、本発明による座椅子の概略上面図である。
【図５】図４の座椅子を図１と同じ方向から見た概略側方図である。
【図６】図３の座椅子の特に開脚パッドを着座部の外側に突出させた状態を、図１と同じ方向から見た拡大概略側方図である。
【図７】背もたれ部の着座部に対する角度が鈍角となるようにセットされた、本発明による座椅子の概略側方図である。
【図８】図７と同様であるが三角クッションの配置が図７と異なる、本発明による座椅子の概略側方図である。
【図９】背もたれ部の着座部に対する角度がほぼ平角となるようにセットされた、本発明による座椅子の概略側方図である。
【図１０】図９と同様であるが三角クッションの配置が図９と異なる、本発明による座椅子の概略側方図である。
【図１１】使用者が座面の前方に座った場合（Ａ）と座面の後方に座った場合（Ｂ）とのそれぞれの状態を示す概略上面図である。
【図１２】図１の座椅子の骨格となるフレームの態様を示す概略斜視図である。
【図１３】図１２において着座部外枠が２段となったの態様を示す概略斜視図である。
【図１４】パッド回転棒の開放角度を調整するラチェット、および互いにほぼ平行となるようにセットされた１組のパッド回転棒を示す概略図である。
【図１５】図１４のラチェットを拡大し、かつパッド回転棒の開放角度が大きくなるようにセットされた１組のパッド回転棒を示す概略図である。
【図１６】図１２において開脚パッドが収納された状態を示す概略斜視図である。
【図１７】図１２において開脚パッドが着座部の外側に突出し、かつ開放角度がほぼ平角をなすようにセットされた状態を示す概略斜視図である。
【図１８】図１２において開脚パッドが着座部の外側に突出し、かつ開放角度がほぼ０°となるようにセットされた状態を示す概略斜視図である。
【図１９】開脚パッドの伸縮機構を説明するための第１の概略斜視図である。
【図２０】開脚パッドの伸縮機構を説明するための第２の概略斜視図である。
【図２１】開脚パッドの伸縮機構を説明するための第３の概略斜視図である。
【図２２】開脚パッドの伸縮機構を説明するための第４の概略斜視図である。
【図２３】開脚パッドの伸縮機構を説明するための第５の概略斜視図である。
【図２４】開脚パッドの伸縮機構を説明するための第６の概略斜視図である。
【発明を実施するための形態】
【００１１】
以下、図面を参照して本発明の実施の形態を説明する。なお、以下の図面において同一または相当する部分には同一の参照番号を付しその説明は繰返さない。
【００１２】
図１を参照して、本発明に従った座椅子１は、第１のベース部としての着座部２と、第２のベース部としての背もたれ部３とからなるベース部と、着座部２の内部に収納された開脚パッド４と、クッション部としての三角クッション５と、を主に有している。着座部２および背もたれ部３は一般公知の柔らかい生地により覆われており、当該生地により使用者に快適な座り心地を提供する。
【００１３】
着座部２は通常の使用時において床上に載置する部分であり、着座部２の上面には、使用者がその上に着座するための座面６（第１の面）を有する。背もたれ部３は使用者が通常着座する際に背中を当接させてもたれるために用いる部分であり、背もたれ部３にはもたれるための表面である背面７（第２の面）を有する。着座部２および背もたれ部３は、後述する接続部に配置される角度調整部（図１２のラチェット２２）により一体となっており、これらが座椅子１の本体を構成する。背もたれ部３は着座部２の後方（図１の左側であり、通常の使用時において後方となる側）において着座部２と接続するように配置されている。
【００１４】
着座部２の座面６は図１の上側を向いている。着座部２は、座面６と対向するように図１の下側に図示しない底面を有している。座面６と底面と、両者に挟まれた領域とにより着座部２が形成されている。同様に、背もたれ部３の背面７は図１の右側を向いている。背もたれ部３は、背面７と対向するように図１の左側に図示しない裏面を有している。背面７と裏面と、両者に挟まれた領域とにより背もたれ部３が形成されている。
【００１５】
図２は開脚パッド４が着座部２の内部に収納された態様を上方から見た図であり、図３〜図６は開脚パッド４が着座部２の内部から外部へ突出した態様を上方から見た図である。図２〜図６を参照して、開脚パッド４は着座部２の内部に１組（たとえば２つ）配置されている。これらの開脚パッド４は着座部２の内部であるパッド収納部８に収納可能であり、かつ着座部２の外部に突出させることが可能である。
【００１６】
着座部２の外部に突出した開脚パッド４は、これを着座部２に着座した使用者の脚（大腿部）の内側に宛てがうことにより使用者の股関節に適度な負荷を加え、股関節の筋力および柔軟性の向上に寄与することができる。一方開脚パッド４を収納した際には、座椅子１を単なる椅子として着座用に用いることもできる。座椅子１は、通常の椅子として使用することもでき、かつ股関節の運動用の器具として用いることもできるため、多様な用途に用いることができる。
【００１７】
着座部２の座面６と底面とに挟まれた領域の外周部には、着座部２の端面２０が形成されている。端面２０には、座椅子１の前方（図１の右側であり、通常の使用時において前方となる側）側から座椅子１の側方（図１の正面側およびこれに対向する側）のうち比較的前方側の位置領域まで延在するように、開口部１９が形成されている。図３〜図５において開脚パッド４は、座椅子１の前方の開口部１９から、着座部２（パッド収納部８）の外部へ突出している。
【００１８】
１組（２つ）の開脚パッド４のそれぞれは、パッド部４ａと、パッド回転棒４ｂとを有している。パッド部４ａは、パッド回転棒４ｂの一方の端部（パッド収納部８の外側に向かう側の端部）に固定されている。パッド部４ａはたとえば主面を有する平らな外観形状を有しているが外観形状はこれに限らない。開脚パッド４の中でも特にパッド部４ａが着座部２（パッド収納部８）の外部に突出し、後述するように座面６に対してほぼ垂直に交差するようにパッド部４ａが回転して固定される（図４参照）ことにより、使用者がパッド部４ａに脚を押し付けることで股関節のストレッチ運動を行なうことができる。
【００１９】
パッド部４ａは使用者の膝や大腿部を当接可能であり、筋肉を鍛えるために大腿部などを押し付ける部分である。パッド部４ａはたとえば平らな形状を有しており、これにより使用者の大腿部などに当接することが容易となる。パッド部４ａの表面は着座部２などと同様に、一般公知の柔らかい生地により覆われている。
【００２０】
パッド部４ａは、たとえば図３〜図６においては、着座部２の奥行き方向（たとえば図４の上下方向など、使用者の前方と後方とを結ぶ方向）に延びるパッド回転棒４ｂにより座椅子１の前方の開口部１９から突出している。しかしパッド回転棒４ｂは、その延在する方向を変更可能である。このため、たとえば座椅子１の側方を向くようにパッド回転棒４ｂを回転させ、パッド部４ａを座椅子１の側方の開口部１９から突出させることもできる。
【００２１】
パッド回転棒４ｂが回転することにより、２つのパッド回転棒４ｂに沿った直線が交わる角度（開放角度）が変更可能である。具体的には図１２のフレームの概略斜視図を参照して、着座部２の内部には１組（たとえば２つ）のラチェット２１（角度決定部）が互いに間隔をあけて配置されている。このラチェット２１を回転中心としてパッド回転棒４ｂが座面６に沿うように回転するため、ラチェット２１を回転中心としてパッド部４ａが座面６に沿うように回転する。したがってパッド回転棒４ｂの延在方向および開放角度を（ラチェット２１の機能に応じて数段階に）調整することができる。
【００２２】
ラチェット２１は、１組のパッド回転棒４ｂがなす開放角度からパッド回転棒４ｂが回転して当該開放角度が変更しないよう、いったん決定した開放角度を維持するようにパッド回転棒４ｂを固定する機能を有する。
【００２３】
図３および図６においては、パッド部４ａの主面が床面に沿うように配置されている。これに対して図４および図５においては、パッド部４ａの主面が床面に対して鉛直方向に延びるように配置されている。パッド部４ａをパッド回転棒４ｂの中心軸まわりに回転することにより、パッド部４ａの主面の向きを床面に沿う方向と床面に対して鉛直方向とに切り換えることができる。
【００２４】
ここでたとえば図３を参照して、着座部２の座面６の前方側２０ａ（上記のようにたとえば図１の右側であり通常の使用時において前方となる側）における幅ａは、座面６の後方側２０ｂ（図１参照：上記のようにたとえば図１の左側であり通常の使用時において後方となる側）における幅ｂよりも広いことが好ましい。このようにすれば、使用者が着座時に大腿部を載せることができる座面６の範囲（つまり座面６の前方側に位置する部分）が広くなるため、より快適に大腿部を広げて着座することができる。またパッド収納部８の比較的前方側２０ａにパッド部４ａが収納されるため、前方側２０ａにおける幅ａを広くすることにより、開脚パッド４の収納スペースを充分に確保することができる。
【００２５】
再度図１を参照して、着座部２は、その前方側２０ａにおける厚みｃが、後方側２０ｂにおける厚みｄよりも厚くなるように、座椅子１の設置される床面に対して傾いている。なお背もたれ部３についてはその厚みなどに特に制限はないが、たとえば、着座部２から遠い側（図１の上側）の端面における厚みが、着座部２に近い側（図１の下側）の端面における厚みよりも厚くなるようにしてもよい。
【００２６】
このように座面６が傾いているので、座椅子１の使用者は、その臀部が座面６の後方側２０ｂの、座面６と背面７とに挟まれる領域に沈むように着座することができる。このため座椅子１の後方に深く腰掛けることが可能となり、座り心地が向上する。また上記のように臀部が沈めば使用者は容易に前傾姿勢で着座することができるため、この状態で大腿部を開脚することにより、股関節の筋肉に加える負荷を増加し、ストレッチ運動を容易に行なうことができる。ここで三角クッション５は、座面６や背面７よりも変形しやすいので使用者の前傾姿勢を妨げないが、三角クッション５を取り除いて使用することもできる。
【００２７】
図１において、背もたれ部３は全体的に見て着座部２の全体に対してほぼ直角となるようにセットされている。しかし上記のように座面６が座椅子１の設置される床面に対して傾いているので、背もたれ部３の全体が着座部２の全体に対してほぼ直角であっても、座面６と背面７とのなす角度は鋭角になる。このため図１の状態の座椅子１に着座した使用者は前傾姿勢になる。
【００２８】
開脚パッド４の開放角度に応じて大腿部を開いた場合、使用者は股関節の筋肉に対して容易に負荷を加えることができる。このような負荷はいわゆる前傾姿勢で着座した際により増加する。このため開脚パッド４を用いたストレッチ運動を行なう際には、座椅子１の背もたれ部３（背面７）が着座部２（座面６）に対してほぼ直角あるいは鋭角をなすようにセットされていることが好ましい。
【００２９】
つまり図１中に点線で示すように、背もたれ部３の全体が着座部２の全体に対して鋭角をなすようにセットされてもよい。上記のように座面６が傾斜しているので座面６と背面７とのなす角度は背もたれ部３の全体が着座部２の全体に対してなす角度よりも小さくなる傾向がある。そのため、図１中に点線で示すように背もたれ部３がセットされれば、座面６と背面７とのなす角度がより小さい鋭角となり、使用者はより前傾姿勢で着座することになる。図１に示した座椅子１ではこのように座面６と背面７とのなす角度を調整することができる。座面６と背面７とのなす角度をより小さい鋭角にすれば、たとえば当該角度が鈍角である場合に比べて使用者の股関節の筋肉に加わる負荷をいっそう高くすることができる。以上に述べたように、座面６と背面７とのなす角度を調整することにより、使用者の股関節の筋肉に加わる負荷を調整することができる。
【００３０】
図１においては背もたれ部３が座椅子１の設置された床面に対して鈍角となるようにセットされている。図１の座椅子１の座面６には三角クッション５（クッション部）が配置されている。三角クッション５は座面６の後方、すなわち背もたれ部３と着座部２との接続部近くに配置されている。三角クッション５は一般公知の生地により形成されており、おおむね三角柱の立体形状を有している。
【００３１】
三角クッション５が図１のように配置されれば、当該三角クッション５の側面のうち最も面積の大きな面は、通常の態様で着座した使用者の臀部と接することになる。このとき、三角クッション５により使用者の骨盤の位置を容易に固定できることにより、使用者はその姿勢を良好に保つことができる。
【００３２】
次に図７および図８を参照して、背もたれ部３が着座部２に対して図１に示した座椅子１よりも大きい角度、つまり直角より大きい角度（いわゆる鈍角）となるようにセットされてもよい。言い換えればこの状態では、背面７が座面６に対して直角より大きい角度となるようにセットされる。
【００３３】
図７および図８において三角クッション５の形状は図１に示した三角クッション５の形状と異なっている。すなわち三角クッション５はその表面に、これを構成する三角柱のうち互いに対向する２つの三角形の平面と、これら２つの三角形の平面以外の、柱状部の側面を構成する平面形状が四角形状の３つの面とを有している。上記の対向する２つの三角形はいわゆる二等辺三角形状であることが好ましい。上記３つの面のうち１つの面５ａと他の面５ｂとはほぼ同じ形状及び寸法である。また、上記３つの面のうち１つの面５ａと他の面５ｂ以外の残りの面は１つの面５ａおよび他の面５ｂとほぼ同様の寸法および形状であってもよいし、１つの面５ａおよび他の面５ｂと異なる寸法および形状であってもよい。
【００３４】
図７および図８において三角クッション５は、座面６上の接合部５０にて座面６と接合（たとえば縫合）されている。接合部５０は、たとえば三角クッション５の上記１つの面５ａと上記残りの面との境界部として延在する稜が座面６に（座椅子１の幅方向に）接合されることにより形成されている。したがって接合部５０においては三角クッション５の上記の稜は座面６上に固定されている。三角クッション５は接合部５０において接合されているため、三角クッション５を紛失する可能性が低減される。
【００３５】
三角クッション５は、この接合部５０を中心として座面６の奥行き方向（図７および図８の左右方向）において回転可能である。具体的には、座面６に固定された接合部５０を中心にして三角クッション５が全体的に図７および図８の右側に行くように回転し、座面６上に三角クッション５が載置された状態が図７に示されている。また座面６に固定された接合部５０を中心にして三角クッション５が全体的に図７および図８の左側に行くように回転し、背面７上に三角クッション５が当接した状態が図８に示されている。
【００３６】
図７においては三角クッション５の柱状部の側面を構成する３つの面のうち上記の残りの面（もっとも大きな面積を有する面）が座面６に当接している。図８においては三角クッション５の上記１つの面５ａが座面６に当接しており、上記他の面５ｂが背面７に当接している。図７と図８とは三角クッション５の配置態様において異なっており、他の点は互いに同様である。なお、三角クッション５は座面６に接合されていない座面６から独立した部材としてもよいし、ファスナーや、ホックや、ボタンなどにより着脱自在となっていてもよい。
【００３７】
図９および図１０を参照して、背もたれ部３が着座部２に対して図７および図８よりもさらに大きな角度となるようにセットされてもよい。図９および図１０においては着座部２および背もたれ部３がともに床面上に載置されており、背もたれ部３の全体の着座部２の全体に対する角度（背もたれ角度）が約１８０°となっている。図９と図１０の態様は特に座椅子１を横臥用に用いる際に適している。
【００３８】
ただし座椅子１においては、図９および図１０のように着座部２および背もたれ部３がともに床面上に載置された場合、着座部２と背もたれ部３とを合わせた全体を単一のベース部（着座部）と考え、このベース部に使用者が着座することができる。すなわち図９および図１０の態様においては、通常使用者が背中を当接する背もたれ部３が着座部２と合わせて着座部として用いられ、通常背面として用いられる第２の面７が通常座面として用いられる第１の面６と合わせて単一の座面として使用され得る。
【００３９】
図９を参照して、座椅子１の第１の面６と第２の面７とを合わせた座面の奥行きｅは８７９．７ｍｍ以上２０１９ｍｍ以下である。ここで座面６，７の奥行きｅは、第１の面６および第２の面７を合わせた単一の座面の前方の端部（第１の面６の前方の端部）から後方の端部（第２の面７の、これを背面として用いる場合の最上部）までの距離である。
【００４０】
また座椅子１の座面６，７の幅ｆは３１７．３ｍｍ以上９３０．８ｍｍ以下である。ここで幅ｆとは座面６，７において上記奥行きに交差する、通常の使用者にとって左右方向に相当する方向での寸法を意味する。なお前述したように座面６の幅は座面６上の位置によって（たとえば図３に示す座面６の前方側の幅ａと後方側の幅ｂとが）異なる場合があり、背面７についても同様である。その場合はここでの座面６，７の幅ｆとは座面６，７全体の幅の最大値を意味することとする。
【００４１】
本実施の形態の座椅子１の開脚パッド４は、使用前に１組の開脚パッド４のそれぞれの開放角度が調整され、決定した開放角度を維持するようにラチェット２１で固定される。その状態で使用者は、大腿部の内側に２つの開脚パッド４のそれぞれが当接するように着座する。ここで図１１を参照して、図１１（Ａ）と図１１（Ｂ）との開脚パッド４がなす開放角度は同じである。しかし、たとえば図１１（Ａ）のように使用者が着座部２（座面６）の前方に着座した場合には、図１１（Ｂ）のように使用者が着座部２（座面６，７）の後方に着座した場合に比べて股関節部ＪＯＴに加わる力が大きくなる。これは図１１（Ａ）のように前方に着座した場合の方が図１１（Ｂ）のように後方に着座した場合に比べて、１対の大腿部のなす開放角度を大きくする必要があるためである。
【００４２】
つまり座椅子１の開脚パッド４を用いれば、いったん固定された開脚パッド４の開放角度を維持したまま、使用者の着座位置を前方または後方に移動するだけで、股関節部に加わる負荷を調整することができる。基本的に使用者は脚の開閉運動を行なわずに股関節部のストレッチ運動ができる。このため、単純にストレッチ運動を目的としてジムなどに設置された運動用器具を用いて高い負荷の運動を行なうことなく、本発明による座椅子１に着座することにより読書やテレビ観賞などの日常生活を行ないながら、飽きることなく長期間にわたってストレッチ運動を容易に行なうことができる。
【００４３】
上記のように使用者の着座位置を変更することを可能とするためには、座面６がある程度の大きさを有することが好ましい。図９および図１０のように座面６と背面７との双方を合わせた単一の座面６，７の奥行きｅおよび幅ｆは、たとえば座面６のみを座面として用いる場合の寸法（図１に示す奥行きｇおよび幅ａ）よりも（特に奥行きｅが奥行きｇよりも大幅に）大きいため、上記のように座面６，７の奥行きｅおよび幅ｆを決定すれば、座面６，７は、使用者がその着座位置により負荷を調整することが可能となる非常に大きなスペースを有することになる。
【００４４】
たとえば座面６，７の奥行きｅが上記の最小値以上であれば、使用者の着座位置を前方または後方に移動するだけで、負荷を調整する効果を十分に得ることができる。また当該奥行きｅが上記の最大値以下であれば、当該座椅子１のサイズを極度に大きくすることなく座椅子１としての日常生活における取扱いに支障がないようにできるとともに、所望の効果を得ることができる。またたとえば座面６，７の幅ｆが上記の最小値以上であれば、使用者は快適に大腿部を座面６，７上に載せながら（広げながら）所望の運動を行なうことができる。また上記同様に、当該幅ｆが上記の最大値以下であれば、当該座椅子１のサイズを極度に大きくすることなく所望の効果を得ることができる。
【００４５】
なお上記の座面６，７の奥行きｅの最小値８７９．７ｍｍは、日本人の６０歳以上の女性（比較的小柄）のいわゆる座位下肢長の平均値である。奥行きｅが最低限８７９．７ｍｍあれば、比較的小柄な人でも足首付近やつま先を開脚パッド４に押し付けることでストレッチ運動を行なうことが可能である。また奥行きｅの最大値２０１９ｍｍは日本人の１８歳以上２９歳以下の男性（比較的大柄）のいわゆる座位下肢長の平均値の２倍である。奥行きｅが２０１９ｍｍあれば、比較的大柄な人でもたとえば座面６，７上で奥行きｅの方向に両脚のなす角度が約１８０°となるように開脚するストレッチ運動を行なうことができる。
【００４６】
また上記の座面６，７の幅ｆの最小値３１７．３ｍｍは、日本人の６０歳以上の女性のいわゆる殿幅の平均値であるため、幅ｆが最低限３１７．３ｍｍあれば、比較的小柄な人でも座椅子１を椅子として通常の使用をすることができる。また幅ｆの最大値９３０．８ｍｍは日本人の１８歳以上２９歳以下の男性のいわゆる座位殿・膝窩距離の平均値の２倍である。幅ｆが９３０．８ｍｍあれば、比較的大柄な人でもたとえば座面６，７上で幅ｆの方向に両脚のなす角度が約１８０°となるように開脚し、座面６，７上に太ももが乗るように着座するストレッチ運動を行なうことができる。
【００４７】
ただし本実施の形態の座椅子１は、第１の面６のみを座面として（第１のベース部２のみを着座部として）用いた場合の図１に示す奥行きｇが上記の奥行きｅの条件を満たしてもよいし、図１に示す幅ａが上記の幅ｆの条件を満たしてもよい。
【００４８】
パッド回転棒４ｂが収納部８から外部に突出することによりパッド部４ａがパッド収納部８の外側に位置するとともに所定の開放角度となるように開脚パッド４を延ばすことができれば、たとえば使用者が図１１（Ａ）のように前方に座り股関節部ＪＯＴの負荷を高くしたい場合に、使用者の大腿部をパッド部４ａに十分に宛てがうことができる。このため使用者は快適にストレッチ運動を行なうことができる。
【００４９】
なお図９および図１０は、図７および図８と同様に、三角クッション５が接合部５０を中心に回転されることによりその配置態様が異なっているが、それ以外の点はすべて同様である。また図９および図１０のように第１の面６および第２の面７の双方が座面として用いられる場合、三角クッション５が使用上邪魔になる場合があるので三角クッション５を備えない構成であってもよく、三角クッション５が座面６から着脱可能な構成であってもよい。
【００５０】
このように座椅子１は、用途に応じて背もたれ部３と着座部２とのなす角度（背面７と座面６とのなす角度）を鋭角、直角、鈍角または（ほぼ）平角となるように調整することができる。このため座椅子１を多様な用途で快適に用いることが可能になる。
【００５１】
上記のように座面６は着座部２が設置される床面に対してやや傾いており、また背もたれ部３の下部（着座部２との接続部）の厚みは他の部分より薄くなっているため、角度が約１８０°となっていても、座面６と背面７との接続部には凹んだ部分が形成される。
【００５２】
図１０においては、三角クッション５が、互いにほぼ１８０°となるように開いた着座部２の座面６と背もたれ部３の背面７との接続における凹んだ部分に配置されている。三角クッション５の、柱状部の側面を構成する３つの面のうち１つの面５ａが座面６と接し、上記１つの面と異なる他の面５ｂが背面７と接し、上記１つの面５ａおよび他の面５ｂと異なる残りの面が、座面６（背面７から離れた領域）と背面７（座面６から離れた領域）とを滑らかにつなぐようにほぼ同一平面上に位置するように配置される。このように三角クッション５は、座椅子１の着座部２と背もたれ部３とが互いにほぼ平角をなすようにセットされる場合に、背面７と座面６とをつないでほぼ平坦な面を構成することが可能な形状を有していることが好ましい。
【００５３】
言い換えれば三角クッション５の上記１つの面５ａは座面６の背面７に近い領域の、座椅子１が配置される床面となす角度が比較的大きい領域と当接可能であり、上記他の面５ｂは背面７の座面６に近い領域の、座椅子１が配置される床面となす角度が比較的大きい領域と当接可能である。また三角クッション５の上記残りの面は、座椅子１の設置される床面とほぼ平行となるように延び、座面６の背面７から離れた領域および背面７の座面６から離れた領域の双方と互いにほぼ同一平面上に位置することが可能である。言い換えれば、上記残りの面は、床面とほぼ平行となるように配置されることが可能である。三角クッション５は、以上のような配置を可能とするような形状を有していてもよい。
【００５４】
以上のように座面６に固定され、座面６との接続部を中心に奥行き方向に関して回転可能な三角クッション５が配置されることにより、臀部や背中など使用者の要求する身体の一部に当該三角クッション５を宛てがい、使用者に快適な力を加えることができる。たとえば図１に示す態様の座椅子１に着座する場合には使用者の臀部の表面が描くカーブに沿うように三角クッション５が変形するとともに当該臀部に当接する。三角クッション５の介在により臀部と背面７との間に隙間ができなくなるため、三角クッション５が存在しない場合に比べて座り心地がよくなる。
【００５５】
以下、図１２〜図２４を参照しながら、座椅子１を構成するフレームの一例について説明する。
【００５６】
図１２（Ａ）を参照して、座椅子１の着座部２を構成するフレームは、着座部の外形をなす着座部外枠２ａと、着座部外枠２ａの変形などを抑制し強度を高める着座部パイプ２ｂとを主に有している。着座部外枠２ａは着座部２（座面６および底面）の平面形状に準ずる平面形状を有し、着座部２（座面６）の前方側２０ａ（図１参照）における幅が、後方側２０ｂ（図１参照）における幅よりも広くなっている。着座部パイプ２ｂは着座部外枠２ａの一方の側方から着座部外枠２ａの一方の側方に対向する他方の側方に達するように（つまり着座部外枠２ａの幅方向に）延在している。
【００５７】
着座部パイプ２ｂのうちの１本（通常は最も前方側の着座部パイプ２ｂ）において、当該着座部パイプ２ｂが延在する方向に関するたとえば中央部に、互いに間隔ｈをあけて１対のラチェット２１が形成されている。ラチェット２１のそれぞれには収納部回転棒８ａの一方（座椅子１の内側）の端部が一般公知の手段により接続されている。収納部回転棒８ａのラチェット２１と接続される端部と反対側（座椅子１の外側）の端部８ｂは、図１２（Ｂ）に示すパッド回転棒４ｂの内部に嵌挿される。このようにして収納部回転棒８ａとパッド回転棒４ｂとが連結している。つまり、パッド回転棒４ｂは実質的に、ラチェット２１を中心として座面６に沿った方向に回転可能に、ラチェット２１に固定されている。ここでは特にパッド回転棒４ｂの端部４ｃ（パッド部４ａが接続される端部と反対側の端部）から、収納部回転棒８ａがパッド回転棒４ｂの内部に嵌挿される。
【００５８】
一方、座椅子１の背もたれ部３は、上記２ａ，２ｂと同様に、背もたれ部の外形をなす背もたれ部外枠３ａと、背もたれ部パイプ３ｂとを有している。
【００５９】
図１２においては着座部外枠２ａと背もたれ部外枠３ａとのなす角度はほぼ直角である。両者の角度の調整は、１組のラチェット２２（角度調整部）によりなされ、これにより図１および図７〜図１０に示すように上記角度を（ラチェット２２の機能に応じて数段階に）調整することができる。１組のラチェット２２は、着座部２と背もたれ部３との間に、言い換えれば着座部２と背もたれ部３との接続部に配置されており、着座部２と背もたれ部３（座面６と背面７）とのなす角度を調整することができる。なお図７〜図１０に示すような角度の調整は図１のレバー９を用いることでラチェット２２の動作を制御することによりなされる。
【００６０】
図１３を参照して、着座部外枠２ａは、特に着座部２の前方側において図の上下方向に２段重なるように（２層構造となるように）配置されてもよい。この場合、上段の着座部外枠２ａと下段の着座部外枠２ａとは固定部１１により固定されている。着座部２の前方側において着座部外枠２ａが２段重なるように配置されるが着座部２の後方側においては着座部外枠２ａが１段のみ配置される。このようにすれば、上記の図１に示すように着座部２の前方側２０ａにおける厚みｃを、後方側２０ｂにおける厚みｄよりも厚くするとともに、座椅子１の設置される床面に対して着座部２の座面６が傾く態様とすることができる。また上段の着座部外枠２ａと下段の着座部外枠２ａとの間の領域がパッド収納部８となり、パッド収納部８内にラチェット２１などが配置される。なお、以下説明する図１４〜図１８では、説明の便宜上上段の着座部外枠２ａは記載していない。
【００６１】
図１４を参照して、ラチェット２１により、１組の収納部回転棒８ａおよびパッド回転棒４ｂのセットの配置を、互いがほぼ平行となるように調整することができる。また図１５を参照して、ラチェット２１により、１組の収納部回転棒８ａおよびパッド回転棒４ｂのセットがなす角度（開放角度）を任意に調整することもできる。なお図１５は図１４のラチェット２１を拡大して示している。
【００６２】
図１６を参照して、１組の開脚パッド４がパッド収納部８に収納されている場合（図２参照）にはパッド回転棒４ｂの内部に収納部回転棒８ａの大部分が収納されており、収納部回転棒８ａとパッド回転棒４ｂとの長さの総和が短くなっている。これに対して図１７および図１８を参照して、パッド回転棒４ｂの内部から収納部回転棒８ａの大部分が引き出されることにより１組の開脚パッド４のパッド部４ａが着座部２の外に突出した状態となる。図１７は１組のパッド回転棒４ｂのなす角度が１８０°となるように１組のラチェット２１のそれぞれが調整された状態であり、図１８は１組のパッド回転棒４ｂがほぼ平行となるように１組のラチェット２１のそれぞれが調整された状態である。図１７および図１８においてはパッド回転棒４ｂの内部に収納部回転棒８ａがほとんど収納されないため、収納部回転棒８ａとパッド回転棒４ｂとの長さの総和が図１６に示した場合よりも長くなっている。
【００６３】
次に図１９〜図２４を参照して、収納部回転棒８ａとパッド回転棒４ｂとの長さの総和を調整する機構について説明する。
【００６４】
図１９〜２１を参照して、開脚パッド４のパッド回転棒４ｂおよび収納部回転棒８ａは、いずれも中空の円筒形状（パイプ形状）を有している。パッド回転棒４ｂの断面がなす外側の円形の直径ｌは、収納部回転棒８ａの断面がなす外側の円形の直径ｍより大きい。特にパッド回転棒４ｂの断面がなす内側の円形の直径（内径）が、収納部回転棒８ａの直径ｍより大きい。このため収納部回転棒８ａがパッド回転棒４ｂの内部に嵌挿可能となっている。
【００６５】
パッド回転棒４ｂの円筒状部分の外周面の一部には孔４２が形成されている。特に図１９および図２０を参照して、パッド回転棒４ｂの内部には、他の円筒形パイプ４ｄが嵌挿、固定されている。図２０には、座椅子１に設置される１組（２つ）の開脚パッド４のそれぞれのパッド回転棒４ｂが示されている。
【００６６】
収納部回転棒８ａの円筒状部分の外周面の一部には孔４１ａおよび孔４１ｂが形成されている。これらの孔４１ａ，４１ｂは平面視において重なるように形成されることが好ましく、孔４１ａの内径は孔４１ｂの内径より大きいことが好ましい。このようにすれば孔４１ａおよび孔４１ｂをピン３３が貫通可能とすることができる。孔４１ａ，４１ｂにより収納部回転棒８ａの内部を貫通するピン３３には、ばね３４が取り付けられている。収納部回転棒８ａの内部にばね３４は配置される。ばね３４の弾性力により、ピン３３の頭３３ａが収納部回転棒８ａの側面から突出した状態となるように、ピン３３が付勢される。
【００６７】
図２２を参照して、円筒形パイプ４ｄは中空の円筒形状を有し、その延在方向での長さはパッド回転棒４ｂより短い。また円筒形パイプ４ｄの断面がなす外側の円形の直径（外径）は、パッド回転棒４ｂの断面がなす内側の円形の直径（内径）より小さい。このため円筒形パイプ４ｄがパッド回転棒４ｂの内部に嵌挿可能となっている。
【００６８】
円筒形パイプ４ｄの円筒状部分の一部には溝４ｅが形成されている。溝４ｅは円筒形パイプ４ｄの一方の端部４ｆを始点とし、円筒形パイプ４ｄの延在する方向に沿って延在する。さらに溝４ｅは溝屈曲部３１において屈曲して当該円筒状部分において円筒形パイプ４ｄの延在する方向に交差するように（円周方向に）、円筒状部分の外周の１点である溝終点３２まで延在している。このように溝４ｅは円筒形パイプ４ｄの円筒状部分の外周において概ねＬ字型形状を形成している。図２２に２つ示される円筒形パイプ４ｄは、図２０に示すように２つのパッド回転棒４ｂのそれぞれに用いられる。
【００６９】
なお溝４ｅのうち端部４ｆから溝屈曲部３１まで円筒形パイプ４ｄの延在方向に沿って延びる部分の延長上に孔４２が配置されるように、円筒形パイプ４ｄがパッド回転棒４ｂにセットされることが好ましい。
【００７０】
図２３（Ａ）を参照して、ピン３３は、ピン本体部３３ｂとピン小径部３３ｃとを有しており、ピン本体部３３ｂの頂上部がピンの頭３３ａとして形成されている。ピンの頭３３ａは溝４ｅに嵌挿可能な程度に小さい径を有している。また、ピン小径部３３ｃはパッド回転棒４ｂの孔４１ｂに挿入可能な径を有している。
【００７１】
ピン本体部３３ｂの側面の一部にはピン溝３３ｄが形成されている。ピン溝３３ｄは、当該側面の外周に沿うように形成されている。ピン溝３３ｄの、特に丸点線で囲まれた領域ＸＸＩＩＩＢにおける断面形状は図２３（Ｂ）に示すとおりである。
【００７２】
図２４を参照して、ばね３４は第１のばね部分３４ａと、屈曲部３４ｃを介して第１のばね部分３４ａと接続された第２のばね部分３４ｂとを備える。第１のばね部分３４ａは、間隔を隔てて対向するように延びる２本の線状ばね体を含む。２本の線状ばね体がピン本体部３３ｂを挟むようにピン溝３３ｄに嵌めこまれることで、ピン３３とばね３４とが接続される。ピンの頭３３ａに力が加われば屈曲部３４ｃが屈曲して、ばね３４がもとの形状に戻ろうとする弾性力が発生する。この弾性力によりピンの頭３３ａの位置が元に戻ろうとする付勢力がピン３３に加えられる。すなわちピンの頭３３ａには常に収納部回転棒８ａの外側に突出しようとする力が加わる。
【００７３】
再度図１９を参照して、孔４１ａをピンの頭３３ａが貫通した状態で、収納部回転棒８ａがパッド回転棒４ｂに嵌挿される。このときピンの頭３３ａが（溝４ｅを図１９の右方から左方に向かって進み、溝４ｅの延長上にある）孔４２を貫通して孔４２から収納部回転棒８ａの外部に突出した状態となれば、収納部回転棒８ａとパッド回転棒４ｂとの長さの総和が短くなる。この状態が図２および図１６に示すように、開脚パッド４がパッド収納部８内に収納された状態である。
【００７４】
一方、収納部回転棒８ａをパッド回転棒４ｂの内部から引き抜く方向に移動させることで、ピンの頭３３ａが溝４ｅを、パッド回転棒４ｂの延在する方向に沿って図１９の左方から右方に向かって進み溝屈曲部３１に達した状態を考える。この状態は、収納部回転棒８ａとパッド回転棒４ｂとの長さの総和が長くなり、かつパッド部４ａが床面に沿うように配置された、たとえば図３に示す状態である。さらにパッド回転棒４ｂを収納部回転棒８ａに対して軸周りに回転させることでピンの頭３３ａが溝４ｅをその延在方向に交差する方向に（溝屈曲部３１と溝終点３２との間を）進み溝終点３２に達した状態を考える。この状態は、収納部回転棒８ａとパッド回転棒４ｂとの長さの総和が長くなり、かつパッド部４ａが床面に対して鉛直方向に沿うように配置された、たとえば図４、図１７、図１８に示す状態である。すなわち溝４ｅがＬ字型を有することにより、パッド回転棒４ｂが収納部回転棒８ａの軸方向（延在方向）に沿って移動するときの移動方向および移動範囲を規定するとともに、パッド回転棒４ｂを収納部回転棒８ａに対して、パッド回転棒４ｂの断面をなす円周に沿う方向（周方向）に回転させ、パッド部４ａの主面の向きを変更する動作におけるパッド回転棒４ｂの移動方向および移動範囲を規定することが可能となる。
【００７５】
上述した実施の形態と一部重複する部分もあるが、本願発明の特徴的な構成を以下に列挙する。
【００７６】
（１）この発明に従った座椅子１は、使用者が着座する座面６，７を有するベース部（着座部２および背もたれ部３）と、ベース部２，３の端面２０から突出し、開放角度を変更可能な１組の開脚パッド４と、開脚パッド４の開放角度を固定するための角度決定部（ラチェット２１）とを備える。座面６，７の奥行きｅは８７９．７ｍｍ以上２０１９ｍｍ以下であり、座面６，７の幅ｆは３１７．３ｍｍ以上９３０．８ｍｍ以下である。
【００７７】
座面６（座面６，７）の寸法（奥行きｅおよび幅ｆ）を上記のように決定すれば、座面６（座面６，７）は、使用者がその着座位置により負荷を調整することが可能となる十分なスペースを有することになる。また開脚パッド４の開放角度を所望の値となるように調整したうえで使用者が着座位置を前方または後方に移動するだけで、たとえば使用者が大腿部を繰り返し開閉させる運動を行なうことなく、使用者の股関節に加わる負荷を調整することができる。以上より座椅子１を単なる椅子として使用することもでき、かつ日常生活を行ないながら容易にストレッチ運動を行なうための器具として用いることもできる。
【００７８】
（２）上記座椅子１のベース部２，３は、使用者が着座する座面としての第１の面６を有する第１のベース部（着座部２）と、使用者が背中を当接する背面としての第２の面７を有し第１のベース部に接続された第２のベース部（背もたれ部３）とを含む。第１および第２のベース部（着座部２および背もたれ部３）の接続部に配置され、第１の面６と第２の面７とのなす角度を調整する角度調整部（ラチェット２２）とをさらに備えることが好ましい。角度調整部２２は、第１の面６と第２の面７とのなす角度が鋭角となるように調整可能である。
【００７９】
ラチェット２２により座面（第１の面）６と背面（第２の面）７とのなす角度をより小さい鋭角にすれば、たとえば当該角度が鈍角である場合に比べて使用者の股関節の筋肉に加わる負荷をいっそう高くすることができる。以上に述べたように、座面６と背面７とのなす角度を調整することにより、使用者の股関節の筋肉に加わる負荷を調整することができる。
【００８０】
（３）上記（２）の座椅子１は、角度調整部２２を用いて座面（第１の面）６と背面（第２の面）７とのなす角度を調節することにより、第１の面６と第２の面７とを合わせて使用者が着座する単一の座面６，７として使用可能である。
【００８１】
第１の面６と第２の面７とを合わせて座面６，７として使用することにより、座面６，７の特に奥行きｅが格段に大きくなるため、座面６のみを座面として用いる場合に比べて使用者の座面６，７における着座位置（すなわち使用者の股関節の筋肉に加わる負荷）をより広い範囲で調整することができる。
【００８２】
（４）上記（２）または（３）の座椅子１の１組の開脚パッド４は、第１のベース部の内部（パッド収納部８）に収納可能であってもよい。このようにすれば、開脚パッド４をパッド収納部８の内部に収納することにより座椅子１を通常の椅子として用い、開脚パッド４をパッド収納部８の外部に突出させることにより座椅子１をストレッチ運動用の器具として用いることができる。
【００８３】
（５）上記（２）、（３）または（４）の座椅子１の座面６の前方側２０ａにおける第１のベース部２の厚みｃは、座面６の後方側における第１のベース部２の厚みｄよりも厚いことが好ましい。このように座面６が傾いているので、座椅子１の使用者は、その臀部が座面６の後方側２０ｂの、座面６と背面７とに挟まれる領域に沈むように着座することができる。このため座椅子１の後方に深く腰掛けることが可能となり、座り心地が向上する。また上記のように臀部が沈めば使用者は容易に前傾姿勢で着座することができるため、この状態で大腿部を開脚することにより、股関節の筋肉に加える負荷を増加し、ストレッチ運動を容易に行なうことができる。
【００８４】
（６）上記の座面６の前方側２０ａの幅ａは、座面６の後方側２０ｂの幅ｂよりも広いことが好ましい。このようにすれば、使用者が着座時に大腿部を載せることができる座面６の範囲（つまり座面６の前方側に位置する部分）が広くなるため、より快適に大腿部を広げて着座することができる。またパッド収納部８の比較的前方側２０ａにパッド部４ａが収納されるため、前方側２０ａにおける幅ａを広くすることにより、開脚パッド４の収納スペースを充分に確保することができる
（７）上記（６）の座椅子１の座面６の前方側２０ａにおける第１のベース部２の厚みｃは、座面６の後方側における第１のベース部２の厚みｄよりも厚いことが好ましい。このようにすれば上記（５）と同様の作用効果を奏する。
【００８５】
（８）上記座椅子１は、座面上の接合部５０にて接合されるクッション部（三角クッション５）を有してもよい。クッション部は三角柱形状であり、クッション部は、接合部５０を中心に座面６の奥行き方向において回転可能である。このクッション部により、臀部や背中など使用者の要求する身体の一部に当該クッション部を宛てがい、使用者に快適な力を加えることができる。当該クッション部の介在により臀部と背面との間に隙間ができなくなるため、クッション部が存在しない場合に比べて座り心地がよくなる。
【００８６】
以上、本発明者によってなされた発明を実施の形態に基づき具体的に説明したが、本発明は上記実施の形態に限定されるものではなく、その要旨を逸脱しない範囲で種々変更可能であることはいうまでもない。
【産業上の利用可能性】
【００８７】
本発明は、スポーツ用品として使用可能な座椅子に用いられる。
【符号の説明】
【００８８】
１  座椅子、２  着座部、２ａ  着座部外枠、２ｂ  着座部パイプ、３  背もたれ部、４  開脚パッド、４ａ  パッド部、４ｂ  パッド回転棒、４ｃ，４ｆ  端部、４ｄ  円筒形パイプ、４ｅ  溝、５  三角クッション、６  座面、７  背面、８  パッド収納部、８ａ  収納部回転棒、９  レバー、１１  固定部、１９  開口部、２０  端面、２０ａ  前方側、２０ｂ  後方側、２１，２２  ラチェット、３１  溝屈曲部、３２  溝終点、３３  ピン、３３ａ  ピンの頭、３３ｂ  ピン本体部、３３ｃ  ピン小径部、３３ｄ  ピン溝、３４  ばね、４１ａ，４１ｂ，４２  孔、５０  接合部。
【図１】
2014171724.tif 000003
【図２】
2014171724.tif 000004
【図３】
2014171724.tif 000005
【図４】
2014171724.tif 000006
【図５】
2014171724.tif 000007
【図６】
2014171724.tif 000008
【図７】
2014171724.tif 000009
【図８】
2014171724.tif 000010
【図９】
2014171724.tif 000011
【図１０】
2014171724.tif 000012
【図１１】
2014171724.tif 000013
【図１２】
2014171724.tif 000014
【図１３】
2014171724.tif 000015
【図１４】
2014171724.tif 000016
【図１５】
2014171724.tif 000017
【図１６】
2014171724.tif 000018
【図１７】
2014171724.tif 000019
【図１８】
2014171724.tif 000020
【図１９】
2014171724.tif 000021
【図２０】
2014171724.tif 000022
【図２１】
2014171724.tif 000023
【図２２】
2014171724.tif 000024
【図２３】
2014171724.tif 000025
【図２４】
2014171724.tif 000026